(57)【要約】【課題】機器の取付け面への設置後に当該機器が取付け面から外れた場合であっても、当該機器を設置後と同等の姿勢で保持可能とする。【解決手段】取付け部１１ａの対向する側壁の両方に設けられ、一方が天井面２ａに取付けられた一対のワイヤ３ａ，４ａの一方に引掛け可能であり、他方が当該一対のワイヤ３ａ，４ａの他方に引掛け可能であるＬ字フック５１ａ及び逆Ｌ字フック５２ａを有するフック機構５ａとを備えた。【選択図】図１
2017211421.tif 000002
【特許請求の範囲】
【請求項１】
取付け面に接する被取付け面、及び、対向する側壁を有する取付け部と、
前記対向する側壁の両方に設けられ、一方が前記取付け面に取付けられた一対のワイヤの一方に引掛け可能であり、他方が当該一対のワイヤの他方に引掛け可能であるフック機構とを備え、
前記フック機構は、
一端が前記側壁に連結された固定部、及び、一端が当該固定部の他端に連結され、他端が前記被取付け面とは反対側を向いた開放部を有するＬ字状のＬ字フックと、
一端が前記側壁に連結された固定部、及び、一端が当該固定部の他端に連結され、他端が前記Ｌ字フックの開放部とは反対側を向いた開放部を有するＬ字状の逆Ｌ字フックとを有する
ことを特徴とする機器。
【請求項２】
前記逆Ｌ字フックは、
前記逆Ｌ字フックの固定部に設けられ、当該固定部から、当該逆Ｌ字フックの開放部の他端とは反対側に向かって傾斜した斜めリブを有する
ことを特徴とする請求項１記載の機器。
【請求項３】
前記フック機構は、前記取付け部とは別体に構成された
ことを特徴とする請求項１又は請求項２記載の機器。
【請求項４】
前記取付け面は天井面である
ことを特徴とする請求項１から請求項３のうちのいずれか１項記載の機器。
【請求項５】
前記取付け面は取付け台である
ことを特徴とする請求項１から請求項３のうちのいずれか１項記載の機器。
【請求項６】
取付け面に接する被取付け面を有する取付け部における対向する側壁の両方に設けられ、一方が当該取付け面に取付けられた一対のワイヤの一方に引掛け可能であり、他方が当該一対のワイヤの他方に引掛け可能であり、
一端が前記側壁に連結された固定部、及び、一端が当該固定部の他端に連結され、他端が前記被取付け面とは反対側を向いた開放部を有するＬ字状のＬ字フックと、
一端が前記側壁に連結された固定部、及び、一端が当該固定部の他端に連結され、他端が前記Ｌ字フックの開放部とは反対側を向いた開放部を有するＬ字状の逆Ｌ字フックとを有する
ことを特徴とするフック機構。
【請求項７】
取付け面に取付けられる一対のワイヤと、
前記取付け面に接する被取付け面、及び、対向する側壁を有する取付け部と、
前記対向する側壁の両方に設けられ、一方が前記一対のワイヤの一方に引掛け可能であり、他方が当該一対のワイヤの他方に引掛け可能であるフック機構とを備え、
前記フック機構は、
一端が前記側壁に連結された固定部、及び、一端が当該固定部の他端に連結され、他端が前記被取付け面とは反対側を向いた開放部を有するＬ字状のＬ字フックと、
一端が前記側壁に連結された固定部、及び、一端が当該固定部の他端に連結され、他端が前記Ｌ字フックの開放部とは反対側を向いた開放部を有するＬ字状の逆Ｌ字フックとを有する
ことを特徴とする取付け構造。
【発明の詳細な説明】
【技術分野】
【０００１】
この発明は、取付け面に取付けられる機器、フック機構及び取付け構造に関する。
【背景技術】
【０００２】
従来の天井取付けタイプの監視カメラ等の機器では、ビス等により機器の取付け部を天井面に取付けた上で、天井面に別途取付けた１本のワイヤと取付け部を接続することで、機器の落下を防止している（例えば特許文献１参照）。
【先行技術文献】
【特許文献】
【０００３】
【特許文献１】特開２０００−３０７９２２号公報
【発明の概要】
【発明が解決しようとする課題】
【０００４】
したがって、従来の取付け構造では、１本のワイヤを用いて機器の落下を防止している。一方、機器の設置後にビス等による天井面への取付けが外れた場合に、当該機器が振り子状に動き、近くにいる作業者又は壁面等にぶつかるという課題があった。また、据置き取付けタイプの機器については、ビス等による取付け台への取付けが外れた場合に転倒等の恐れがあるが、１本のワイヤでは転倒等の防止は困難であるという課題がある。
【０００５】
この発明は、上記のような課題を解決するためになされたもので、機器の取付け面への設置後に当該機器が取付け面から外れた場合であっても、当該機器を設置後と同等の姿勢で保持可能な機器を提供することを目的としている。
【課題を解決するための手段】
【０００６】
この発明に係る機器は、取付け面に接する被取付け面、及び、対向する側壁を有する取付け部と、対向する側壁の両方に設けられ、一方が取付け面に取付けられた一対のワイヤの一方に引掛け可能であり、他方が当該一対のワイヤの他方に引掛け可能であるフック機構とを備え、フック機構は、一端が側壁に連結された固定部、及び、一端が当該固定部の他端に連結され、他端が被取付け面とは反対側を向いた開放部を有するＬ字状のＬ字フックと、一端が側壁に連結された固定部、及び、一端が当該固定部の他端に連結され、他端がＬ字フックの開放部とは反対側を向いた開放部を有するＬ字状の逆Ｌ字フックとを有することを特徴とする。
【発明の効果】
【０００７】
この発明によれば、上記のように構成したので、機器の取付け面への設置後に当該機器が取付け面から外れた場合であっても、当該機器を設置後と同等の姿勢で保持可能となる。
【図面の簡単な説明】
【０００８】
【図１】この発明の実施の形態１に係る取付け構造の構成例を示す図であり、監視カメラの設置前状態を示す斜視図である。
【図２】図２Ａ〜図２Ｃは、この発明の実施の形態１に係る取付け構造による監視カメラの取付け手順を説明する図であり、全体構成を示す斜視図と、図２ＡのＡ方向から見た拡大図である。
【図３】図３Ａ、図３Ｂは、この発明の実施の形態１に係る取付け構造による監視カメラの仮設置状態を示す図であり、全体構成を示す斜視図と、図３ＡのＢ部拡大図である。
【図４】この発明の実施の形態２に係る取付け構造の構成例を示す図であり、監視カメラの設置前状態を示す斜視図である。
【図５】図５Ａ、図５Ｂは、この発明の実施の形態２に係る取付け構造による監視カメラの仮設置状態を示す図であり、全体構成を示す斜視図と、図５ＡのＣ部拡大図である。
【図６】図６Ａ，図６Ｂは、この発明の実施の形態３に係る取付け構造の構成例を示す図であり、全体構成を示す分解斜視図と、Ｄ部拡大図である。
【図７】図７Ａ，図７Ｂは、この発明の実施の形態４に係る取付け構造の構成例を示す図であり、全体構成を示す分解斜視図と、Ｅ部拡大図である。
【発明を実施するための形態】
【０００９】
以下、この発明の実施の形態について図面を参照しながら詳細に説明する。
実施の形態１．
図１はこの発明の実施の形態１に係る取付け構造の構成例を示す図である。なお実施の形態１では、取付け構造が取付け対象とする機器が、天井取付けタイプの監視カメラ１ａである場合を示す。
【００１０】
実施の形態１に係る取付け構造では、図１に示すように、監視カメラ１ａが取付けられる天井面（取付け面）２ａに、一対のワイヤ３ａ，４ａが設けられる。この一対のワイヤ３ａ，４ａは、同一（略同一の意味を含む）の長さに構成されている。また、一対のワイヤ３ａ，４ａは、弛みが設けられ、ボルト等により天井面２ａに長手方向を平行（略平行の意味を含む）に並べて取付けられる。また、ワイヤ３ａ，４ａ間の距離は、監視カメラ１ａの取付け部１１ａの幅に応じた距離に設定されている。
【００１１】
また、監視カメラ１ａには、天井面２ａに固定される取付け部１１ａが設けられている。また、取付け部１１ａは、天井面２ａに接する被取付け面１１１ａを有している。この被取付け面１１１ａの周囲には、複数のネジ挿入穴１１２ａが設けられている。
【００１２】
また、取付け部１１ａには、対向（略対向の意味を含む）する側壁の両方にフック機構５ａが設けられている。このフック機構５ａは、少なくとも一組の対向する側壁の両方に設けられ、一方が一対のワイヤ３ａ，４ａの一方に引掛け可能であり、他方が当該一対のワイヤ３ａ，４ａの他方に引掛け可能である。図１に示す例では、取付け部１１ａが略直方体であり、二組の対向する側壁として４つの側壁を有しており、これら４つの側壁に１つずつフック機構５ａが設けられている。また、実施の形態１では、フック機構５ａは取付け部１１ａに一体に構成されている。
【００１３】
それぞれのフック機構５ａは、Ｌ字フック５１ａ及び逆Ｌ字フック５２ａを有している。また、Ｌ字フック５１ａと逆Ｌ字フック５２ａは、間隙を有して配置されている。
【００１４】
Ｌ字フック５１ａは、図２Ｂに示すように、固定部５１１ａ及び開放部５１２ａを有し、Ｌ字状に構成されたフックである。固定部５１１ａは、一端が上記側壁に連結されている。また、開放部５１２ａは、一端が固定部５１１ａの他端に連結され、他端が被取付け面１１１ａ側とは反対側（図２Ｂでは下側）を向いている。
【００１５】
逆Ｌ字フック５２ａは、図２Ｂに示すように、固定部５２１ａ及び開放部５２２ａを有し、Ｌ字状に構成されたフックである。固定部５２１ａは、一端が上記側壁に連結されている。また、開放部５２２ａは、一端が固定部５２１ａの他端に連結され、他端がＬ字フック５１ａの開放部５１２ａとは反対側（図２Ｂでは上側）を向いている。また、逆Ｌ字フック５２ａには、固定部５２１ａに、斜めリブ５２３ａが設けられている。この斜めリブ５２３ａは、固定部５２１ａから、開放部５２２ａの他端とは反対側（図２Ｂでは下側）に向かって傾斜して構成されている。
【００１６】
次に、実施の形態１に係る取付け構造を用いた監視カメラ１ａの取付け手順の一例について説明する。
まず、作業員は、図１に示すように、一対のワイヤ３ａ，４ａを、監視カメラ１ａを取付ける天井面２ａに取付ける。この際、作業員は、一対のワイヤ３ａ，４ａを、監視カメラ１ａの取付け部１１ａの幅に応じた距離だけ離し、弛みを設けてボルト等により天井面２ａに取付ける。
【００１７】
次いで、作業員は、図２Ａ、図２Ｂに示すように、監視カメラ１ａの取付け部１１ａに設けられた一対のフック機構５ａを、天井面２ａに取付けられた一対のワイヤ３ａ，４ａの中央部分に引掛ける。すなわち、Ｌ字フック５１ａにおける固定部５１１ａの下面及び逆Ｌ字フック５２ａにおける固定部５２１ａの下面を、ワイヤ４ａ（３ａ）の中央部分に引掛ける。
【００１８】
次いで、作業員は、図２Ｃに示すように、逆Ｌ字フック５２ａにおける固定部５２１ａの下面が引掛けられているワイヤ４ａ（３ａ）を、逆Ｌ字フック５２ａにおける固定部５２１ａの下面から外すように開放部５２２ａ側にずらす。この際、斜めリブ５２３ａに沿って移動させることで、容易にワイヤ４ａ（３ａ）を逆Ｌ字フック５２ａにおける固定部５２１ａの下面から外すことができる。そして、逆Ｌ字フック５２ａにおける固定部５２１ａの下面から外れたワイヤ４ａ（３ａ）が、Ｌ字フック５１ａと逆Ｌ字フック５２ａとの間隙である隙間６ａに入り込む。
【００１９】
次いで、作業員は、図３Ａ、図３Ｂに示すように、隙間６ａに入り込んだワイヤ４ａ（３ａ）を、逆Ｌ字フック５２ａにおける固定部５２１ａの上面に引掛ける。これにより、フック機構５ａがワイヤ４ａ（３ａ）に取付けられる。
上記のようにして、一対のワイヤ３ａ，４ａに、監視カメラ１ａの取付け部１１ａに設けられた一対のフック機構５ａを取付けることで、監視カメラ１ａを設置状態と同等の姿勢で保持できる。
【００２０】
その後、作業員は、監視カメラ１ａを上方に持ち上げ、ネジ挿入穴１１２ａにネジを通して取付け部１１ａを天井面２ａに固定する。
【００２１】
以上のように、この実施の形態１によれば、取付け部１１ａの対向する側壁の両方に設けられ、一方が天井面２ａに取付けられた一対のワイヤ３ａ，４ａの一方に引掛け可能であり、他方が当該一対のワイヤ３ａ，４ａの他方に引掛け可能であるＬ字フック５１ａ及び逆Ｌ字フック５２ａを有するフック機構５ａを備えたので、監視カメラ１ａの天井面２ａへの設置後に当該監視カメラ１ａが天井面２ａから外れた場合であっても、当該監視カメラ１ａを設置後と同等の姿勢で保持可能となる。すなわち、監視カメラ１ａが天井面２ａから外れた場合であっても、設置状態に近い状態で保持でき、監視カメラ１ａの落下を防止できる。また、監視カメラ１ａが天井面２ａから外れた場合にも、ほぼ設置後の姿勢を保ったまま下方向に移動するだけであるため、監視カメラ１ａが周囲の作業者又は壁面等にぶつかることを回避できる。また、実施の形態１の構造は上述の通り仮設置を行うための構造としても利用可能である。また、仮設置の際は、工具等を用いずにワイヤ３ａ，４ａに簡単に監視カメラ１ａを取付け可能である。また、監視カメラ１ａの設置後に、ワイヤ３ａ，４ａの交換及び調整等は不要である。更に、監視カメラ１ａが重量物であっても、２本のワイヤ３ａ，４ａで監視カメラ１ａを保持するため、１本のワイヤで保持する従来構成に対し、ワイヤ３ａ，４ａの径が太くなることを回避でき、監視カメラ１ａの設置作業が容易となる。
【００２２】
なお上記では、機器が監視カメラ１ａである場合を示したが、これに限るものではなく、その他の天井取付けタイプの機器に対して実施の形態１に係る取付け構造を適用可能である。
【００２３】
実施の形態２．
図４はこの発明の実施の形態２に係る取付け構造の構成例を示す図である。なお実施の形態２では、取付け構造が取付け対象とする機器が、据置き取付けタイプの監視カメラ１ｂである場合を示す。
【００２４】
実施の形態２に係る取付け構造では、図４に示すように、監視カメラ１ｂが取付けられる取付け台（取付け面）２ｂに、一対のワイヤ３ｂ，４ｂが設けられる。この一対のワイヤ３ｂ，４ｂは、同一（略同一の意味を含む）の長さに構成されている。また、一対のワイヤ３ｂ，４ｂは、弛みが設けられ、ボルト等により取付け台２ｂに長手方向を平行（略平行の意味を含む）に並べて取付けられる。また、ワイヤ３ｂ，４ｂ間の距離は、監視カメラ１ｂの取付け部１１ｂの幅に応じた距離に設定されている。
【００２５】
また、監視カメラ１ｂには、取付け台２ｂに固定される取付け部１１ｂが設けられている。また、取付け部１１ｂは、取付け台２ｂに接する被取付け面１１１ｂを有している。この被取付け面１１１ｂの周囲には、複数のネジ挿入穴１１２ｂが設けられている。
【００２６】
また、取付け部１１ｂには、対向（略対向の意味を含む）する側壁の両方にフック機構５ｂが設けられている。このフック機構５ｂは、少なくとも一組の対向する側壁の両方に設けられ、一方が一対のワイヤ３ｂ，４ｂの一方に引掛け可能であり、他方が当該一対のワイヤ３ｂ，４ｂの他方に引掛け可能である。図４に示す例では、取付け部１１ｂが略直方体であり、二組の対向する側壁として４つの側壁を有しており、これら４つの側壁に１つずつフック機構５ｂが設けられている。また、実施の形態２では、フック機構５ｂは取付け部１１ｂに一体に構成されている。
【００２７】
それぞれのフック機構５ｂは、Ｌ字フック５１ｂ及び逆Ｌ字フック５２ｂを有している。また、Ｌ字フック５１ｂと逆Ｌ字フック５２ｂは、間隙を有して配置されている。
【００２８】
Ｌ字フック５１ｂは、図５Ｂに示すように、固定部５１１ｂ及び開放部５１２ｂを有し、Ｌ字状に構成されたフックである。固定部５１１ｂは、一端が上記側壁に連結されている。また、開放部５１２ｂは、一端が固定部５１１ｂの他端に連結され、他端が被取付け面１１１ｂ側とは反対側（図５Ｂでは上側）を向いている。
【００２９】
逆Ｌ字フック５２ｂは、図５Ｂに示すように、固定部５２１ｂ及び開放部５２２ｂを有し、Ｌ字状に構成されたフックである。固定部５２１ｂは、一端が上記側壁に連結されている。また、開放部５２２ｂは、一端が固定部５２１ｂの他端に連結され、他端がＬ字フック５１ｂの開放部５１２ｂとは反対側（図５Ｂでは下側）を向いている。また、逆Ｌ字フック５２ｂには、固定部５２１ｂに、斜めリブ５２３ｂが設けられている。この斜めリブ５２３ｂは、固定部５２１ｂから、開放部５２２ｂの他端とは反対側（図５Ｂでは上側）に向かって傾斜して構成されている。
【００３０】
次に、実施の形態２に係る取付け構造を用いた監視カメラ１ｂの取付け手順の一例について説明する。
まず、作業員は、図４に示すように、一対のワイヤ３ｂ，４ｂを、監視カメラ１ｂを取付ける取付け台２ｂに取付ける。この際、作業員は、一対のワイヤ３ｂ，４ｂを、監視カメラ１ｂの取付け部１１ｂの幅に応じた距離だけ離し、弛みを設けてボルト等により取付け台２ｂに取付ける。
【００３１】
次いで、作業員は、監視カメラ１ｂの取付け部１１ｂに設けられた一対のフック機構５ｂを、取付け台２ｂに取付けられた一対のワイヤ３ｂ，４ｂの中央部分に引掛ける。すなわち、Ｌ字フック５１ｂにおける固定部５１１ｂの上面及び逆Ｌ字フック５２ｂにおける固定部５２１ｂの上面を、ワイヤ４ｂ（３ｂ）の中央部分に引掛ける。
【００３２】
次いで、作業員は、逆Ｌ字フック５２ｂにおける固定部５２１ｂの上面が引掛けられているワイヤ４ｂ（３ｂ）を、逆Ｌ字フック５２ｂにおける固定部５２１ｂの上面から外すように開放部５２２ｂ側にずらす。この際、斜めリブ５２３ｂに沿って移動させることで、容易にワイヤ４ｂ（３ｂ）を逆Ｌ字フック５２ｂにおける固定部５２１ｂの上面から外すことができる。そして、逆Ｌ字フック５２ｂにおける固定部５２１ｂの上面から外れたワイヤ４ｂ（３ｂ）が、Ｌ字フック５１ｂと逆Ｌ字フック５２ｂとの間隙である隙間６ｂに入り込む。
【００３３】
次いで、作業員は、図５Ａ、図５Ｂに示すように、隙間６ｂに入り込んだワイヤ４ｂ（３ｂ）を、逆Ｌ字フック５２ｂにおける固定部５２１ｂの下面に引掛ける。これにより、フック機構５ｂがワイヤ４ｂ（３ｂ）に取付けられる。
上記のようにして、一対のワイヤ３ｂ，４ｂに、監視カメラ１ｂの取付け部１１ｂに設けられた一対のフック機構５ｂを取付けることで、監視カメラ１ｂを設置状態と同等の姿勢で保持できる。
【００３４】
その後、作業員は、監視カメラ１ｂを取付け台２ｂに置き、ネジ挿入穴１１２ｂにネジを通して取付け部１１ｂを取付け台２ｂに固定する。
【００３５】
以上のように、この実施の形態２によれば、取付け部１１ｂの対向する側壁の両方に設けられ、一方が取付け台２ｂに取付けられた一対のワイヤ３ｂ，４ｂの一方に引掛け可能であり、他方が当該一対のワイヤ３ｂ，４ｂの他方に引掛け可能であるＬ字フック５１ｂ及び逆Ｌ字フック５２ｂを有するフック機構５ｂを備えたので、監視カメラ１ｂの取付け台２ｂへの設置後に当該監視カメラ１ｂが取付け台２ｂから外れた場合であっても、当該監視カメラ１ｂを設置後と同等の姿勢で保持可能となる。すなわち、監視カメラ１ｂが取付け台２ｂから外れた場合であっても、設置状態に近い状態で保持でき、監視カメラ１ｂの転倒を防止できる。また、実施の形態２の構造では上述の通り仮設置を行うための構造としても利用可能である。また、仮設置の際は、工具等を用いずにワイヤ３ｂ，４ｂに簡単に監視カメラ１ｂを取付け可能である。また、監視カメラ１ｂの設置後に、ワイヤ３ｂ，４ｂの交換及び調整等は不要である。更に、監視カメラ１ｂが重量物であっても、２本のワイヤ３ｂ，４ｂで監視カメラ１ｂを保持するため、１本のワイヤで保持する従来構成に対し、ワイヤ３ｂ，４ｂの径が太くなることを回避でき、監視カメラ１ｂの設置作業が容易となる。
【００３６】
なお上記では、機器が監視カメラ１ｂである場合を示したが、これに限るものではなく、その他の据置き取付けタイプの機器に対して実施の形態２に係る取付け構造を適用可能である。
【００３７】
実施の形態３．
図１に示す実施の形態１では、フック機構５ａを取付け部１１ａと一体に構成した場合を示した。それに対し、実施の形態３では、フック機構５ａを取付け部１１ａとは別体に構成した場合を示す。図６はこの発明の実施の形態３に係る取付け構造の構成例を示す分解斜視図である。図６に示す実施の形態３に係る取付け構造は、図１に示す実施の形態１係る取付け構造に対し、取付け部１１ａ及びフック機構５ａの構成を変更している。その他の構成は同様であり、同一の符号を付してその説明を省略する。なお図６では、ワイヤ３ａ，４ａの図示を省略している。
【００３８】
監視カメラ１ａの取付け部１１ａには、対向する側壁の両方に、フック機構５ａを取付け可能な取付け凹部１１３ａが設けられている。この取付け凹部１１３ａは、少なくとも一組の対向する側壁の両方に設けられる。図６に示す例では、取付け部１１ａが略直方体であり、二組の対向する側壁として４つの側壁を有しており、これら４つの側壁に１つずつ取付け凹部１１３ａが設けられている。また、取付け凹部１１３ａには、ネジ穴１１４ａが設けられている。
【００３９】
フック機構５ａは、取付け台座５３ａ、Ｌ字フック５４ａ及び逆Ｌ字フック５５ａを有している。また、Ｌ字フック５４ａと逆Ｌ字フック５５ａは、間隙を有して配置されている。
【００４０】
取付け台座５３ａは、一方の面が取付け凹部１１３ａに接するように構成され、他方の面にＬ字フック５４ａ及び逆Ｌ字フック５５ａが一体に連結されている。また、取付け台座５３ａには、取付け凹部１１３ａに接した状態においてネジ穴１１４ａに対応する位置に、ネジ挿入穴５３１ａ（不図示）が設けられている。
【００４１】
Ｌ字フック５４ａは、図６Ｂに示すように、固定部５４１ａ及び開放部５４２ａを有し、Ｌ字状に構成されたフックである。固定部５４１ａは、一端が取付け台座５３ａに連結されている。また、開放部５４２ａは、一端が固定部５４１ａの他端に連結されている。なお、Ｌ字フック５４ａは、フック機構５ａが取付け凹部１１３ａに取付けられることで、開放部５４２ａの他端が、被取付け面１１１ａ側とは反対側（図６では下側）を向くように構成されている。
【００４２】
逆Ｌ字フック５５ａは、図６Ｂに示すように、固定部５５１ａ及び開放部５５２ａを有し、Ｌ字状に構成されたフックである。固定部５５１ａは、一端が取付け台座５３ａに連結されている。また、開放部５５２ａは、一端が固定部５５１ａの他端に連結され、他端がＬ字フック５４ａの開放部５４２ａとは反対側（図６では上側）を向いている。また、逆Ｌ字フック５５ａには、固定部５５１ａに、斜めリブ５５３ａが設けられている。この斜めリブ５５３ａは、固定部５５１ａから、開放部５５２ａの他端とは反対側（図６では下側）に向かって傾斜して構成されている。
【００４３】
そして、フック機構５ａを取付け部１１ａに取付ける場合には、まず、作業員は、取付け台座５３ａを取付け凹部１１３ａに嵌め込む。そして、作業員は、ネジ７ａをネジ挿入穴５３１ａを介してネジ穴１１４ａに取付けることで、取付け台座５３ａを取付け凹部１１３ａに固定する。
【００４４】
このように、フック機構５ａを取付け部１１ａとは別体とすることで、実施の形態１に対し、監視カメラ１ａの取付け環境又は監視カメラ１ａの形状に対してフック機構５ａの取付け箇所を柔軟に設定可能となる。
【００４５】
なお上記では、１つの側壁に対して１つの取付け凹部１１３ａを設けた場合を示したが、これに限るものではなく、１つの側壁に対して複数の取付け凹部１１３ａを設けてもよい。これにより、監視カメラ１ａの形状又は重心位置等に応じてフック機構５ａの取付け箇所を柔軟に設定可能となる。
【００４６】
実施の形態４．
図４に示す実施の形態２では、フック機構５ｂを取付け部１１ｂと一体に構成した場合を示した。それに対し、実施の形態４では、フック機構５ｂを取付け部１１ｂとは別体に構成した場合を示す。図７はこの発明の実施の形態４に係る取付け構造の構成例を示す分解斜視図である。図７に示す実施の形態４に係る取付け構造は、図４に示す実施の形態２係る取付け構造に対し、取付け部１１ｂ及びフック機構５ｂの構成を変更している。その他の構成は同様であり、同一の符号を付してその説明を省略する。なお図７では、ワイヤ３ｂ，４ｂの図示を省略している。
【００４７】
監視カメラ１ｂの取付け部１１ｂには、対向する側壁の両方に、フック機構５ｂを取付け可能な取付け凹部１１３ｂが設けられている。この取付け凹部１１３ｂは、少なくとも一組の対向する側壁の両方に設けられる。図７に示す例では、取付け部１１ｂが略直方体であり、二組の対向する側壁として４つの側壁を有しており、これら４つの側壁に１つずつ取付け凹部１１３ｂが設けられている。また、取付け凹部１１３ｂには、ネジ穴１１４ｂが設けられている。
【００４８】
フック機構５ｂは、取付け台座５３ｂ、Ｌ字フック５４ｂ及び逆Ｌ字フック５５ｂを有している。また、Ｌ字フック５４ｂと逆Ｌ字フック５５ｂは、間隙を有して配置されている。
【００４９】
取付け台座５３ｂは、一方の面が取付け凹部１１３ｂに当接可能に構成され、他方の面にＬ字フック５４ｂ及び逆Ｌ字フック５５ｂが一体に連結されている。また、取付け台座５３ｂには、取付け凹部１１３ｂに当接した際にネジ穴１１４ｂに対応する位置に、ネジ挿入穴５３１ｂ（不図示）が設けられている。
【００５０】
Ｌ字フック５４ｂは、図７Ｂに示すように、固定部５４１ｂ及び開放部５４２ｂを有し、Ｌ字状に構成されたフックである。固定部５４１ｂは、一端が取付け台座５３ｂに連結されている。また、開放部５４２ｂは、一端が固定部５４１ｂの他端に連結されている。なお、Ｌ字フック５４ｂは、フック機構５ｂが取付け凹部１１３ｂに取付けられることで、開放部５４２ｂの他端が、被取付け面１１１ｂ側とは反対側（図７では上側）を向くように構成されている。
【００５１】
逆Ｌ字フック５５ｂは、図７Ｂに示すように、固定部５５１ｂ及び開放部５５２ｂを有し、Ｌ字状に構成されたフックである。固定部５５１ｂは、一端が取付け台座５３ｂに連結されている。また、開放部５５２ｂは、一端が固定部５５１ｂの他端に連結され、他端がＬ字フック５４ｂの開放部５４２ｂとは反対側（図７では下側）を向いている。また、逆Ｌ字フック５５ｂには、固定部５５１ｂに、斜めリブ５５３ｂが設けられている。この斜めリブ５５３ｂは、固定部５５１ｂから、開放部５５２ｂの他端とは反対側（図７では上側）に向かって傾斜して構成されている。
【００５２】
そして、フック機構５ｂを取付け部１１ｂに取付ける場合には、まず、作業員は、取付け台座５３ｂを取付け凹部１１３ｂに嵌め込む。そして、作業員は、ネジ７ｂをネジ挿入穴５３１ｂを介してネジ穴１１４ｂに取付けることで、取付け台座５３ｂを取付け凹部１１３ｂに固定する。
【００５３】
このように、フック機構５ｂを取付け部１１ｂとは別体とすることで、実施の形態２に対し、監視カメラ１ｂの取付け環境又は監視カメラ１ｂの形状に対してフック機構５ｂの取付け箇所を柔軟に設定可能となる。
【００５４】
なお上記では、１つの側壁に対して１つの取付け凹部１１３ｂを設けた場合を示したが、これに限るものではなく、１つの側壁に対して複数の取付け凹部１１３ｂを設けてもよい。これにより、監視カメラ１ｂの形状又は重心位置等に応じてフック機構５ｂの取付け箇所を柔軟に設定可能となる。
【００５５】
なお、本願発明はその発明の範囲内において、各実施の形態の自由な組み合わせ、あるいは各実施の形態の任意の構成要素の変形、もしくは各実施の形態において任意の構成要素の省略が可能である。
【符号の説明】
【００５６】
１ａ，１ｂ  監視カメラ（筐体）、２ａ  天井面（取付け面）、２ｂ  取付け台（取付け面）、３ａ，３ｂ，４ａ，４ｂ  ワイヤ、５ａ，５ｂ  フック機構、６ａ，６ｂ  隙間、７ａ，７ｂ  ネジ、１１ａ，１１ｂ  取付け部、１１１ａ，１１１ｂ  被取付け面、１１２ａ，１１２ｂ  ネジ挿入穴、１１３ａ，１１３ｂ  取付け凹部、１１４ａ，１１４ｂ  ネジ穴、５１ａ，５１ｂ，５４ａ，５４ｂ  Ｌ字フック、５２ａ，５２ｂ，５５ａ，５５ｂ  逆Ｌ字フック、５３ａ，５３ｂ  取付け台座、５１１ａ，５１１ｂ，５４１ａ，５４１ｂ  固定部、５１２ａ，５１２ｂ，５４２ａ，５４２ｂ  開放部、５２１ａ，５２１ｂ，５５１ａ，５５１ｂ  固定部、５２２ａ，５２２ｂ，５５２ａ，５５２ｂ  開放部、５２３ａ，５２３ｂ，５５３ａ，５５３ｂ  斜めリブ、５３１ａ，５３１ｂ  ネジ挿入穴。
【図１】
2017211421.tif 000003
【図２】
2017211421.tif 000004
【図３】
2017211421.tif 000005
【図４】
2017211421.tif 000006
【図５】
2017211421.tif 000007
【図６】
2017211421.tif 000008
【図７】
2017211421.tif 000009